(57)【要約】      （修正有）【課題】ケーブルの端部にケーブル用コネクタを容易に取付けることができ、しかも、ケーブル用コネクタ内部への液体の侵入を確実に防止することができる。【解決手段】プラグハウジング１８およびソケットハウジング３８にそれぞれ、配されるコンタクト／シール用シリンダー１４は、ケーブルＣＡの内部導体を着脱可能に接続できる導体接続部２６または４６を保持するコンタクト収容部と、シール用チューブ１６が装着される環状の凹部とを有し、ケーブルＣＡがプラグコンタクト端子２０またはソケットコンタクト端子４０に接続される場合、段付押さえナット部材１２および３２が、それぞれ、プラグハウジング１８およびソケットハウジング３８の雄ねじ部１８ＭＳ、３８ＭＳにねじ込まれるとき、押圧片１４Ｐｉおよびシール用チューブ１６が押圧されることにより、プラグハウジング１８およびソケットハウジング３８内のケーブルＣＡの外周部が密封されるもの。【選択図】図１
2011258380.tif 000002
【特許請求の範囲】
【請求項１】
ケーブルの一端が接続されたコンタクト端子を着脱可能に収容するハウジングと、
前記ハウジング内に配され、該ハウジング内に挿入されたケーブルの外周部に装着されるシール用チューブを複数の押圧片の内側に保持するシール用シリンダーと、
前記ケーブルの一端が接続されたコンタクト端子が前記ハウジングに収容される場合、前記シール用シリンダーの複数の押圧片を前記シール用チューブとともに該ハウジング内の該ケーブルの外周部に向けて押圧する押さえ部材と、を備え、
前記シール用シリンダーの複数の押圧片のうちの少なくとも一対の押圧片にそれぞれ形成される係合爪が、前記押さえ部材に対し移動可能に係合されることを特徴とするケーブル用コネクタの防水構造。
【請求項２】
前記シール用シリンダーの各押圧片には、前記押さえ部材の内周部に向けて隆起する隆起部が形成され、前記押さえ部材の内周部には、各押圧片の前記隆起部を押圧する突起部が形成されていることを特徴とする請求項１記載のケーブル用コネクタの防水構造。
【請求項３】
前記シール用シリンダーは、前記コンタクト端子を収容するコンタクト収容部を有し、
前記コンタクト端子は、前記ケーブルの内部導体が配される導体接続部と、該導体接続部に回動可能に配され、該ケーブルの内部導体を該導体接続部に対し保持するロック位置、および、該ケーブルの内部導体を該導体接続部に対し解放するアンロック位置をとるクリップ片とを備えることを特徴とする請求項１または請求項２記載のケーブル用コネクタの防水構造。
【請求項４】
ケーブルの一端が接続された棒状の接触端部を有するプラグコンタクト端子を着脱可能に収容するプラグハウジングと、
前記プラグハウジング内に挿入されたケーブルの外周部に装着されるシール用チューブと、
前記プラグハウジング内に配され、該シール用チューブを複数の押圧片の内側に保持するシール用シリンダーと、
前記ケーブルの一端が接続されたプラグコンタクト端子が前記プラグハウジングに収容される場合、前記シール用シリンダーの複数の押圧片を前記シール用チューブとともに前記プラグハウジング内の該ケーブルの外周部に向けて押圧する押さえ部材と、を備え、
前記シール用シリンダーの複数の押圧片のうちの少なくとも一対の押圧片にそれぞれ形成される係合爪が、前記押さえ部材に対し移動可能に係合されることを特徴とするプラグコネクタ。
【請求項５】
ケーブルの一端が接続された円筒状の接触端部を有するソケットコンタクト端子を着脱可能に収容するソケットハウジングと、
前記ソケットハウジング内に挿入されたケーブルの外周部に装着されるシール用チューブと、
前記ソケットハウジング内に配され、該シール用チューブを複数の押圧片の内側に保持するシール用シリンダーと、
前記ケーブルの一端が接続されたソケットコンタクト端子が前記ソケットハウジングに収容される場合、前記シール用シリンダーの複数の押圧片を前記シール用チューブとともに該ソケットハウジング内の該ケーブルの外周部に向けて押圧する押さえ部材と、を備え、
前記シール用シリンダーの複数の押圧片のうちの少なくとも一対の押圧片にそれぞれ形成される係合爪が、前記押さえ部材に対し移動可能に係合されることを特徴とするソケットコネクタ。
【請求項６】
請求項４記載のプラグコネクタと、
請求項５記載のソケットコネクタと、
を具備して構成されるケーブル用コネクタ。
【発明の詳細な説明】
【技術分野】
【０００１】
本発明は、ケーブル用コネクタの防水構造、それを用いたプラグコネクタ、ソケットコネクタ、および、ケーブル用コネクタに関する。
【背景技術】
【０００２】
太陽光発電用モジュール相互間、および、太陽光発電用モジュールと配電盤との間においては、一般に、その相互間を電気的に接続する防水型のケーブル用コネクタが実用に供されている。そのようなケーブル用コネクタは、例えば、特許文献１にも示されるように、コンタクト端子としての雄型端子金具と、その雄型端子金具の電線圧着部およびケーブルの絶縁外皮を覆う封止チューブと、そのケーブルの一端にモールドにより結合されるハウジングとを含んで構成されている。
【０００３】
熱収縮性の合成樹脂で成形された筒状の封止チューブの一端は、ケーブルの絶縁外皮の端末に接着され、また、封止チューブの他端は、雄型端子金具の電線圧着部に接着されている。これにより、ケーブルの絶縁外皮の端末および雄型端子金具の電線圧着部が、封止チューブにより封止されることとなる。
【０００４】
さらに、封止チューブにより封止されたケーブルの絶縁外皮の端末および雄型端子金具の電線圧着部は、モールドにより、上述のハウジングの内部に埋め込まれている。従って、外部の雨水等の液体がケーブルの絶縁外皮を伝わってハウジング内の雄型端子金具および電線圧着部へ侵入することが防止されることとなる。
【先行技術文献】
【特許文献】
【０００５】
【特許文献１】特開２００２−２９８６５６号公報
【発明の概要】
【発明が解決しようとする課題】
【０００６】
上述のようなケーブル用コネクタを用いて太陽光発電用モジュールの設置工事を行うにあたっては、例えば、所定の長さに設定されたケーブルの端部に上述のコネクタが接続されたものが予め準備されるもとで、その設置工事が実施されることとなる。
【０００７】
しかしながら、設置工事において、現場で太陽光発電用モジュールの設置位置の変更等により、必要なケーブルの長さが、やむを得ず変更される場合がある。このような場合、上述のケーブル用コネクタにおいては、変更された長さのケーブルの端部に上述のコネクタが接続されたものをモールドによって作製する必要がある。従って、現場ではケーブルの端部に上述のコネクタが接続されたものを作製することは、困難となるので設置工事が新たなケーブルが準備されるまで中断するという問題を生じる。
【０００８】
以上の問題点を考慮し、本発明は、ケーブル用コネクタの防水構造、それを用いたプラグコネクタ、ソケットコネクタ、および、ケーブル用コネクタであって、モールド成形を要することなくケーブルの端部にケーブル用コネクタを容易に取付けることができ、しかも、ケーブル用コネクタ内部への液体の侵入を確実に防止することができるケーブル用コネクタの防水構造、それを用いたプラグコネクタ、ソケットコネクタ、および、ケーブル用コネクタを提供することを目的とする。
【課題を解決するための手段】
【０００９】
上述の目的を達成するために、本発明に係るケーブル用コネクタの防水構造は、ケーブルの一端が接続されたコンタクト端子を着脱可能に収容するハウジングと、ハウジング内に配され、ハウジング内に挿入されたケーブルの外周部に装着されるシール用チューブを複数の押圧片の内側に保持するシール用シリンダーと、ケーブルの一端が接続されたコンタクト端子がハウジングに収容される場合、シール用シリンダーの複数の押圧片をシール用チューブとともにハウジング内のケーブルの外周部に向けて押圧する押さえ部材と、を備え、シール用シリンダーの複数の押圧片のうちの少なくとも一対の押圧片にそれぞれ形成される係合爪が、押さえ部材に対し移動可能に係合されることを特徴とすることを特徴とする。
【００１０】
また、本発明に係るケーブル用コネクタの防水構造は、シール用シリンダーの各押圧片には、押さえ部材の内周部に向けて隆起する隆起部が形成され、押さえ部材の内周部には、各押圧片の隆起部を押圧する突起部が形成されてもよい。
【００１１】
さらに、本発明に係るプラグコネクタは、ケーブルの一端が接続された棒状の接触端部を有するプラグコンタクト端子を着脱可能に収容するプラグハウジングと、プラグハウジング内に挿入されたケーブルの外周部に装着されるシール用チューブと、プラグハウジング内に配され、シール用チューブを複数の押圧片の内側に保持するシール用シリンダーと、ケーブルの一端が接続されたプラグコンタクト端子がプラグハウジングに収容される場合、シール用シリンダーの複数の押圧片をシール用チューブとともにプラグハウジング内のケーブルの外周部に向けて押圧する押さえ部材と、を備え、シール用シリンダーの複数の押圧片のうちの少なくとも一対の押圧片にそれぞれ形成される係合爪が、押さえ部材に対し移動可能に係合されることを特徴とする。
【００１２】
さらにまた、本発明に係るソケットコネクタは、ケーブルの一端が接続された円筒状の接触端部を有するソケットコンタクト端子を着脱可能に収容するソケットハウジングと、ソケットハウジング内に挿入されたケーブルの外周部に装着されるシール用チューブと、ソケットハウジング内に配され、シール用チューブを複数の押圧片の内側に保持するシール用シリンダーと、ケーブルの一端が接続されたソケットコンタクト端子がソケットハウジングに収容される場合、シール用シリンダーの複数の押圧片をシール用チューブとともにソケットハウジング内のケーブルの外周部に向けて押圧する押さえ部材と、を備え、シール用シリンダーの複数の押圧片のうちの少なくとも一対の押圧片にそれぞれ形成される係合爪が、押さえ部材に対し移動可能に係合されることを特徴とする。
【００１３】
そして、本発明に係るケーブル用コネクタは、上述のプラグコネクタと、上述のソケットコネクタと、を備えて構成される。
【発明の効果】
【００１４】
本発明に係るケーブル用コネクタの防水構造、それを用いたプラグコネクタ、ソケットコネクタ、および、ケーブル用コネクタによれば、ハウジングは、ケーブルの一端が接続されるコンタクト端子を着脱可能に収容するのでモールド成形を要することなくケーブルの端部にケーブル用コネクタを容易に取付けることができる。
【００１５】
また、ハウジング内に挿入されたケーブルの外周部に装着されるシール用チューブを、複数の押圧片の内側に保持するシール用シリンダーを備え、押さえ部材が、ケーブルの一端が接続されるコンタクト端子がハウジングに収容される場合、シール用シリンダーの複数の押圧片をシール用チューブとともにハウジング内のケーブルの外周部に向けて押圧するのでケーブル用コネクタ内部への液体の侵入を確実に防止することができる。
【図面の簡単な説明】
【００１６】
【図１】本発明に係るケーブル用コネクタの防水構造の一例が適用されるケーブル用コネクタを分解して示す断面図である。
【図２】図１に示されるケーブル用コネクタが接続された状態で、ケーブル用コネクタを示す正面図である。
【図３】図１に示される例においてその一部を構成するプラグコネクタを示す斜視図である。
【図４】図１に示される例においてその一部を構成するソケットコネクタを示す斜視図である。
【図５】図３に示されるプラグコネクタを分解して示す正面図である。
【図６】図４に示されるソケットコネクタを分解して示す正面図である。
【図７】（Ａ）は、クリップ片がアンロック状態とされるソケットコンタクト端子を示す斜視図であり、（Ｂ）は、（Ａ）におけるその中心軸線に沿った断面図である。
【図８】（Ａ）は、クリップ片がロック状態とされるソケットコンタクト端子を示す斜視図であり、（Ｂ）は、（Ａ）におけるその中心軸線に沿った断面図である。
【図９】コンタクト／シール用シリンダーの動作説明に供される部分断面図である。
【図１０】（Ａ）および（Ｂ）は、プラグコネクタの組立における各工程の説明に供される斜視図である。
【図１１】ソケットコネクタの組立における工程の説明に供される斜視図である。
【図１２】図１に示される例において用いられるプラグコンタクト端子の他の一例を備えるプラグコネクタを分解して示す斜視図である。
【発明を実施するための形態】
【００１７】
図２は、本発明に係るケーブル用コネクタの防水構造の一例が適用されたケーブル用コネクタの外観を示す。なお、図２において、ケーブル用コネクタは、後述するソケットコネクタおよびプラグコネクタが接続された状態を示す。
【００１８】
図２に示されるケーブル用コネクタは、例えば、太陽光発電用モジュール相互間を接続するケーブルの両端部、あるいは、太陽光発電用モジュールと配電盤との間を接続するケーブルの端部、中継コネクタと太陽光発電用モジュールとの間を接続するケーブルの端部に取付けられるものとされる。
【００１９】
図２において、ケーブルＣＡは、例えば、太陽光モジュール接続用ケーブル（型式ＫＳＫ−、金子コード社製）とされ、１心の内部導体と、その内部導体を被覆する架橋ポリエチレン絶縁体と、内部導体および架橋ポリエチレン絶縁体を被覆する耐燃性架橋ポリエチレンシースとから構成されている。耐燃性架橋ポリエチレンシースは、例えば、約７ｍｍ程度の外径を有している。また、内部導体は、例えば、約２〜３ｍｍ程度の外径を有している。
【００２０】
図２において、プラグコネクタ１０およびソケットコネクタ３０は、互いに着脱可能に接続されている。プラグコネクタ１０は、図３および図５に示されるように、ケーブルＣＡの一端の内部導体に接続されるプラグコンタクト端子２０と、ケーブルＣＡの一端が挿入される貫通孔を有しプラグコンタクト端子２０を保持する筒状のコンタクト／シール用シリンダー１４と、ケーブルＣＡの一端の外周部とコンタクト／シール用シリンダー１４の内周部との間を密封するシール用チューブ１６と、シール用チューブ１６が内側に挿入されたコンタクト／シール用シリンダー１４、および、プラグコンタクト端子２０を収容するプラグハウジング１８と、プラグハウジング１８の雄ねじ部１８ＭＳにねじ込まれる雌ねじ部１２ＦＳを有しコンタクト／シール用シリンダー１４の押圧片１４Ｐｉをシール用チューブ１６に向けて押圧する段付押さえナット部材１２と、を主な構成要素として含んで構成されている。
【００２１】
プラグコンタクト端子２０は、図１に示されるように、例えば、薄板金属材料でプレス加工により一体に成形され、後述するソケットコンタクト端子４０の筒状の接触端部４４の孔４４ａに嵌合される中空棒状の接触端部２４と、後述するようにケーブルＣＡの一端の内部導体を選択的に押圧し接続する導体接続部２６とを含んで構成されている。接触端部２４には、後述するプラグハウジング１８の連通部１８Ｃに形成される凹部（不図示）に係合される突起部２４Ｄが形成されている。これにより、プラグコンタクト端子２０の接触端部２４が連通部１８Ｃに挿入されるとき、その突起部がその凹部に係合することにより、プラグコンタクト端子２０の連通部１８Ｃに対する位置決めがなされることとなる。溝形の導体接続部２６は、一端が開口し、ケーブルＣＡの一端の内部導体がその開口端部から挿入される導体収容部を内側に有している。また、導体接続部２６は、導体収容部内に挿入されたケーブルＣＡの一端の内部導体を導体接続部２６に対しロック状態またはアンロック状態とするクリップ片２８を回動可能に有している。そのロック状態の場合、弾性変位可能な接触片２８Ｐとしてのクリップ片２８の一端と導体収容部の表面とで、図１に示されるように、ケーブルＣＡの一端の内部導体を挟持している。また、操作片としてのクリップ２８の他端は、両側部に略Ｔ字状に形成される係合部２８ａを有する。この係合部２８ａと、導体接続部２６における接触端部２４側の端部に形成される鉤状部２６Ｋが係合されることで、係合部２８ａを含むクリップ２８の他端は、ロック状態に保持される。従って、半田付け作業、かしめ作業等を要することなく、簡易な作業でプラグコンタクト端子２０にケーブルＣＡの一端を接続することが可能とされる。
【００２２】
プラグコンタクト端子２０の導体接続部２６は、コンタクト／シール用シリンダー１４のコンタクト収容部１４Ａに配されている。導体接続部２６は、その相対向する側壁部の各切欠部２６Ｓに（図１参照）、コンタクト収容部１４Ａを形成する両側壁部にそれぞれ、設けられる爪部２６Ｊが係合する。これにより、コンタクト収容部１４Ａに固定される。
【００２３】
コンタクト／シール用シリンダー１４は、例えば、樹脂材料で一体に成形され、図５に示されるように、一端にプラグコンタクト端子２０の導体接続部２６を収容するコンタクト収容部１４Ａと、他端に筒状に形成され、その内側に配されるシール用チューブ１６を挿入されたケーブルＣＡの一端部の外周面に向けて押圧する複数の押圧片１４Ｐｉ（ｉ＝１〜６）と、を含んで構成されている。
【００２４】
コンタクト収容部１４Ａは、溝形に形成され軸線方向に沿った両端部が開口している。コンタクト収容部１４Ａの一方の端部は、複数の押圧片１４Ｐｉの内側の孔１４ａ（図９参照）に連通している。また、コンタクト収容部１４Ａの両側部を形成する両壁部には、上述の導体接続部２６を保持する爪部が相対向して形成されている。
【００２５】
押圧片１４Ｐｉは、例えば、円周方向に沿って所定の間隔で６箇所に形成されている。各押圧片１４Ｐｉの一端は、共通の円筒部に一体に形成されている。その共通の円筒部には、Ｏリング２２が挿入される溝１４Ｇ（図５参照）が形成されている。これにより、後述する段付押さえナット部材１２の雌ねじ部１２ＦＳとプラグハウジング１８の雄ねじ部１８ＭＳとを通じて不所望な液体がプラグハウジング１８の内部に侵入することが回避される。
【００２６】
各押圧片１４Ｐｉの他端は、図９に部分的に拡大されて示されるように、段付押さえナット部材１２の雌ねじ部１２ＦＳがプラグハウジング１８の雄ねじ部１８ＭＳにねじ込まれる場合、段付押さえナット部材１２の内周面に向けて隆起する隆起部１４Ｐａを有している。隣接する押圧片１４Ｐｉ相互間には、押圧片１４Ｐｉが弾性変位可能となるように、隙間が形成されている。なお、押圧片１４Ｐｉの数量は、斯かる例に限られるものではなく、例えば、２個以上５個以下、あるいは、７個以上であってもよい。
【００２７】
また、押圧片１４Ｐｉの内周部には、図９に部分的に拡大されて示されるように、シール用チューブ１６が装着される環状の凹部１４ｂが形成されている。
【００２８】
さらに、複数の押圧片１４Ｐｉのうち相対向する一対の押圧片１４Ｐｉの隆起部１４Ｐａの先端には、それぞれ、一対の係合爪１４ＮＡおよび１４ＮＢが軸線方向に沿って延在するように一体に形成されている。一対の係合爪１４ＮＡおよび１４ＮＢは、弾性変位可能とされ、互いに近接または離隔可能とされる。従って、図１に示されるように、一対の係合爪１４ＮＡおよび１４ＮＢが後述する段付押さえナット部材１２の孔１２ａに挿入される場合、一対の係合爪１４ＮＡおよび１４ＮＢは、孔１２ａの内周縁に対し移動可能とされる。
【００２９】
その際、一対の係合爪１４ＮＡおよび１４ＮＢの先端が、孔１２ａの端部の段差部１２Ｓに係合される場合、コンタクト／シール用シリンダー１４が段付押さえナット部材１２に対し脱落する虞がないのでケーブルＣＡの一端部をコンタクト／シール用シリンダー１４の孔およびナット部材１２の孔に一度に挿入する操作が容易となる。
【００３０】
例えば、ゴム材料で筒状に作られるシール用チューブ１６の内径は、ケーブルＣＡの外周部が挿入可能とされるように、ケーブルＣＡの外径よりも若干大に設定されている。また、シール用チューブ１６の外径は、上述のコンタクト／シール用シリンダー１４の環状の凹部１４ｂの直径と略同一に設定されている。
【００３１】
６角面を外周部に有する段付押さえナット部材１２は、例えば、樹脂材料で成形され、中心軸線に沿って貫通する孔１２ａを有するとともに、一端に雌ねじ部１２ＦＳを有している。雌ねじ部１２ＦＳは、孔１２ａの内径よりも若干大なる内径を有し、孔１２ａの内周面に相対向して形成されている。孔１２ａにおける雌ねじ部１２ＦＳ側の端部には、段差部１２Ｓが形成されている。また、段差部１２Ｓと雌ねじ部１２ＦＳの一端との間には、図９に示されるように、上述の複数の押圧片１４Ｐｉの隆起部１４Ｐａを押圧する環状の突起部１２Ｄが形成されている。これにより、雌ねじ部１２ＦＳがプラグハウジング１８の雄ねじ部１８ＭＳにねじ込まれる動きにあわせて、突起部１２Ｄによる押圧片１４Ｐｉおよびシール用チューブ１６の押圧が可能となる。
【００３２】
プラグハウジング１８は、例えば、樹脂材料で成形され、段付押さえナット部材１２の雌ねじ部１２ＦＳがねじ込まれる雄ねじ部１８ＭＳを一端に有している。雄ねじ部１８ＭＳは、雌ねじ部１２ＦＳに対向するようにプラグハウジング１８の外周部に形成されている。プラグハウジングの他端には、後述のソケットコネクタ３０のソケットハウジング３８の接続端部３８Ｂの末端が挿入される小径部１８Ｂと、接続端部３８Ｂの基端が挿入される大径部１８Ｅとが内側に形成されている。小径部１８Ｂには、プラグコンタクト端子２０の接触端部２４が軸線方向に沿って突出している。
【００３３】
雄ねじ部１８ＭＳの内側には、上述のコンタクト／シール用シリンダー１４の円筒部およびプラグコンタクト端子２０の導体接続部２６を収容する導体接続部収容部１８Ａが形成されている。導体接続部収容部１８Ａと小径部１８Ｂとの間には、連通部１８Ｃが形成されている。また、大径部１８Ｅの周囲には、ソケットコネクタ３０の一対のロック用爪部３８ＮＡおよび３８ＮＢがそれぞれ、挿入されるスリット１８ＤＡおよび１８ＤＢが相対向して形成されている。スリット１８ＤＡおよび１８ＤＢの端部には、それぞれ、孔１８ｄａおよび１８ｄｂが形成されている。これにより、ソケットコネクタ３０とプラグコネクタ１０とが接続される場合、孔１８ｄａおよび１８ｄｂの周縁には、図２に示されるように、一対のロック用爪部３８ＮＡおよび３８ＮＢの先端が係止される。ソケットコネクタ３０とプラグコネクタ１０とが引き離される場合、所定の治具（不図示）が孔１８ｄａおよび１８ｄｂに挿入されることによって、一対のロック用爪部３８ＮＡおよび３８ＮＢの先端が孔１８ｄａおよび１８ｄｂの周縁に対し離隔され、非係止状態とされる。
【００３４】
斯かる構成において、ケーブルＣＡの一端が導体接続部２６に接続されたプラグコンタクト端子２０をプラグハウジング１８に組み付けるにあたっては、先ず、シール用チューブ１６が装着されたコンタクト／シール用シリンダー１４の一対の係合爪１４ＮＡおよび１４ＮＢが段付押さえナット部材１２の孔１２ａに挿入される。これにより、コンタクト／シール用シリンダー１４と段付押さえナット部材１２とが組み合わされ、一つの部品とされる。次に、図１０（Ａ）に示されるように、プラグコンタクト端子２０の導体接続部２６がコンタクト／シール用シリンダー１４のコンタクト収容部１４Ａに固定される。続いて、図１０（Ａ）に示される矢印の示す方向に沿って、ケーブルＣＡの一端の内部導体が、プラグコンタクト端子２０側から段付押さえナット部材１２の孔１２ａ，シール用チューブ１６の孔、および、コンタクト／シール用シリンダー１４の孔１４ａを通じて、クリップ片２８がアンロック状態で、導体接続部２６に挿入された後、クリップ片２８がロック状態とされる。図１０（Ａ）は、クリップ片２８のアンロック状態を示す。続いて、図１０（Ｂ）に示される矢印の示す方向に沿って、ケーブルＣＡが把持された状態で、ケーブルＣＡの一端に接続されたプラグコンタクト端子２０が、プラグハウジング１８の導体接続部収容部１８Ａ、連通部１８Ｃを通じて挿入される。これにより、図１に示されるように、プラグコンタクト端子２０の接触端部２４が小径部１８Ｂに突出することとなる。そして、段付押さえナット部材１２の雌ねじ部１２ＦＳがプラグハウジング１８の雄ねじ部１８ＭＳにねじ込まれ、その組み付けが終了する。これにより、図９に拡大されて示されるように、段付押さえナット部材１２の内周部の環状の突起部１２Ｄが、コンタクト／シール用シリンダー１４の各押圧片１４Ｐｉの隆起部１４Ｐａを押圧するのでシール用チューブ１６の内周部がケーブルＣＡの外周部に密着せしめられるとともに、シール用チューブ１６の外周部が凹部１４ｂを形成する内周面に密着される。従って、不所望な外部からの液体がケーブルＣＡの外周部を伝わってプラグハウジング１８内に侵入することがシール用チューブ１６により防止される。
【００３５】
一方、ソケットコネクタ３０は、図４および図６に示されるように、ケーブルＣＡの一端の内部導体に接続されるソケットコンタクト端子４０と（図７（Ａ），（Ｂ）、図８（Ａ），（Ｂ）参照）、ケーブルＣＡの一端が挿入される貫通孔を有しソケットコンタクト端子４０を保持する筒状のコンタクト／シール用シリンダー１４と、ケーブルＣＡの一端の外周部とコンタクト／シール用シリンダー１４の内周部との間を密封するシール用チューブ１６と、シール用チューブ１６が内側に挿入されたコンタクト／シール用シリンダー１４、および、ソケットコンタクト端子４０を収容するソケットハウジング３８と、ソケットハウジング３８の雄ねじ部３８ＭＳにねじ込まれる雌ねじ部３２ＦＳを有しコンタクト／シール用シリンダー１４の押圧片１４Ｐｉをシール用チューブ１６に向けて押圧する段付押さえナット部材３２と、を主な構成要素として含んで構成されている。
【００３６】
ソケットコンタクト端子４０は、図７（Ａ），（Ｂ）、および、図８（Ａ），（Ｂ）に示されるように、例えば、薄板金属材料でプレス加工により一体に成形され、上述のプラグコンタクト端子２０の筒状の接触端部２４が嵌合される孔４４ａを有する円筒状の接触端部４４と、ケーブルＣＡの一端の内部導体を選択的に押圧し接続する導体接続部４６とを含んで構成されている。接触端部４４の外周部には、後述するソケットハウジング３８の連通部３８Ｃに形成される凹部（不図示）に係合される突起部４４Ｄが形成されている。
【００３７】
これにより、ソケットコンタクト端子４０の接触端部４４が連通部３８Ｃに挿入されるとき、その突起部がその凹部に係合することにより、ソケットコンタクト端子４０の連通部３８Ｃに対する位置決めがなされることとなる。
【００３８】
接触端部４４の内周部には、密着用スリーブ３４が嵌合されている。
【００３９】
溝形の導体接続部４６は、一端が開口し、ケーブルＣＡの一端の内部導体がその開口端部から挿入される導体収容部を内側に有している。また、導体接続部４６は、導体収容部内に挿入されたケーブルＣＡの一端の内部導体を導体接続部４６に対しロック状態またはアンロック状態とするクリップ片４２を回動可能に有している。そのロック状態の場合、弾性変位可能な接触片４２Ｐとしてのクリップ片４２の一端と導体収容部の表面とにより、図８（Ａ）および（Ｂ）に示されるように、ケーブルＣＡの一端の内部導体を挟持している。また、操作片としてのクリップ４２の他端は、両側部に略Ｔ字状に形成される係合部４２ａを有する。この係合部４２ａと、導体接続部４６における接触端部４４側の端部に形成される鉤状部４６Ｋとが係合されることで、係合部２８ａを含むクリップ２８の他端は、ロック状態に保持される。従って、半田付け作業、かしめ作業等を要することなくソケットコンタクト端子４０にケーブルＣＡの一端を接続することが可能とされる。なお、図７（Ａ）および（Ｂ）は、クリップ片４２のアンロック状態を示す。
【００４０】
ソケットコンタクト端子４０の導体接続部４６は、コンタクト／シール用シリンダー１４のコンタクト収容部１４Ａに配されている。導体接続部４６は、その相対向する側壁部の各切欠部４６Ｓに、コンタクト収容部１４Ａを形成する両側壁部にそれぞれ、設けられる爪部４６Ｊが係合する。これにより、コンタクト収容部１４Ａに固定される。
【００４１】
６角面を外周部に有する段付押さえナット部材３２は、例えば、樹脂材料で成形され、中心軸線に沿って貫通する孔３２ａを有するとともに、一端に雌ねじ部３２ＦＳを有している。雌ねじ部３２ＦＳは、孔３２ａの内径よりも若干大なる内径を有し、孔３２ａの内周面に相対向して形成されている。孔３２ａにおける雌ねじ部３２ＦＳ側の端部には、段差部３２Ｓが形成されている。また、段差部３２Ｓと雌ねじ部３２ＦＳの一端との間には、図１に示されるように、上述の複数の押圧片１４Ｐｉの隆起部１４Ｐａを押圧する環状の突起部３２Ｄが形成されている。これにより、雌ねじ部３２ＦＳがソケットハウジング３８の雄ねじ部３８ＭＳにねじ込まれる動きにあわせて、突起部１２Ｄによる押圧片１４Ｐｉおよびシール用チューブ１６の押圧が可能となる。
【００４２】
プラグハウジング３８は、例えば、樹脂材料で成形され、段付押さえナット部材３２の雌ねじ部３２ＦＳがねじ込まれる雄ねじ部３８ＭＳを一端に有している。雄ねじ部３８ＭＳは、雌ねじ部３２ＦＳに対向するようにソケットハウジング３８の外周部に形成されている。ソケットハウジング３８は、接続端部３８Ｂを他端に有している。接続端部３８Ｂは、他端から軸線方向に沿ってプラグコネクタ１０のプラグハウジング１８に向けて突出している。ソケットコネクタ３０がプラグコネクタ１０に対し接続される場合、接続端部３８Ｂは、上述のプラグコネクタ１０のプラグハウジング１８の小径部１８Ｂに挿入される。また、接続端部３８Ｂの基端は、プラグハウジング１８の大径部１８Ｅに挿入される。その基端の外周部には、Ｏリング３６が配される溝が形成されている。これにより、プラグハウジング１８の端面と当接するソケットハウジング３８の端面を通じて外部から内部への液体の侵入が、Ｏリング３６により回避される。
【００４３】
Ｏリング３６の周辺には、一対のロック用爪部３８ＮＡおよび３８ＮＢが、接続端部３８Ｂに対し略平行に形成されている。一対のロック用爪部３８ＮＡおよび３８ＮＢは、上述したように、プラグハウジング１８のスリット１８ＤＡおよび１８ＤＢ内に挿入される。
【００４４】
接続端部３８Ｂ内には、ソケットコンタクト端子４０の接触端部４４が挿入される孔が形成されている。また、その孔の一端には、プラグコンタクト端子２０の接触端部２４が通過する孔３８ｂが形成されている。
【００４５】
雄ねじ部３８ＭＳの内側には、上述のコンタクト／シール用シリンダー１４の円筒部およびソケットコンタクト端子４０の導体接続部４６を収容する導体接続部収容部３８Ａが形成されている。導体接続部収容部３８Ａと接続端部３８Ｂの孔との間には、連通部３８Ｃが形成されている。
【００４６】
斯かる構成において、ケーブルＣＡの一端が導体接続部４６に接続されたソケットコンタクト端子４０をソケットハウジング３８に組み付けるにあたっては、先ず、シール用チューブ１６が装着されたコンタクト／シール用シリンダー１４の一対の係合爪１４ＮＡおよび１４ＮＢが、段付押さえナット部材３２の孔３２ａに挿入される。これにより、コンタクト／シール用シリンダー１４と段付押さえナット部材３２とが組み合わされ、一つの部品とされる。次に、図１１に示されるように、ソケットコンタクト端子４０の導体接続部４６がコンタクト／シール用シリンダー１４のコンタクト収容部１４Ａに固定される。続いて、図１１に示される矢印の示す方向に沿って、ケーブルＣＡの一端の内部導体が、ソケットコンタクト端子４０側から段付押さえナット部材３２の孔３２ａ，シール用チューブ１６の孔、および、コンタクト／シール用シリンダー１４の孔１４ａを通じて、クリップ片４２がアンロック状態で、導体接続部４６に挿入された後、クリップ片４２がロック状態とされる。続いて、図１１に示される矢印の示す方向に沿って、ケーブルＣＡが把持された状態で、ケーブルＣＡの一端に接続されたソケットコンタクト端子４０が、ソケットハウジング３８の導体接続部収容部３８Ａ、連通部３８Ｃを通じて挿入される。これにより、図１に示されるように、ソケットコンタクト端子４０の接触端部４４が接続端部３８Ｂの内周部に突出することとなる。
【００４７】
そして、段付押さえナット部材３２の雌ねじ部３２ＦＳがソケットハウジング３８の雄ねじ部３８ＭＳにねじ込まれ、その組み付けが終了する。これにより、段付押さえナット部材３２の内周部の環状の突起部３２Ｄが、コンタクト／シール用シリンダー１４の各押圧片１４Ｐｉの隆起部１４Ｐａを押圧するのでシール用チューブ１６の内周部がケーブルＣＡの外周部に密着せしめられるとともに、シール用チューブ１６の外周部が凹部１４ｂを形成する内周面に密着される。従って、不所望な外部からの液体がケーブルＣＡの外周部を伝わってソケットハウジング３８内に侵入することがシール用チューブ１６により防止される。
【００４８】
なお、上述の例においては、ソケットコンタクト端子４０およびプラグコンタクト端子２０は、それぞれ、クリップ片４２および２８を有するものとされるが、斯かる例に限られることなく、例えば、図１２に示されるように、プラグコンタクト端子５０がケーブルＣＡの端部の内部導体が圧着により接続される導体接続部５６と、接触端部５４とを備える構成であってもよい。このような場合、図１２において、上述のコンタクト／シール用シリンダー１４と類似したシール用シリンダー１４‘は、例えば、樹脂材料で一体に筒状に成形され、その内側に配されるシール用チューブ１６を挿入されたケーブルＣＡの一端部の外周面に向けて押圧する複数の押圧片を含んで構成されている。即ち、シール用シリンダー１４‘は、コンタクト／シール用シリンダー１４のようなコンタクト収容部１４Ａを必要としない構成とされる。シール用シリンダー１４‘における複数の押圧片のうち相対向する一対の押圧片の隆起部の先端には、それぞれ、一対の係合爪が軸線方向に沿って延在するように一体に形成されている。なお、図１２において、図５に示される例における構成要素と同一の構成要素について同一の符号を付してその重複説明を省略する。同様に、図示が省略されるが、ソケットコンタクト端子がケーブルＣＡの端部の内部導体が圧着により接続される導体接続部と、接触端部とを備える構成であってもよい。
【符号の説明】
【００４９】
１０    プラグコネクタ
１２、３２    段付押さえナット部材
１４    コンタクト／シール用シリンダー
１４ＮＡ、１４ＮＢ    係合爪
１４Ｐｉ    押圧片
１４Ａ    コンタクト収容部
１６    シール用チューブ
１８    プラグハウジング
２０、５０    プラグコンタクト端子
３０    ソケットコネクタ
３８    ソケットハウジング
４０    ソケットコンタクト端子
ＣＡ    ケーブル
【図１】
2011258380.tif 000003
【図２】
2011258380.tif 000004
【図３】
2011258380.tif 000005
【図４】
2011258380.tif 000006
【図５】
2011258380.tif 000007
【図６】
2011258380.tif 000008
【図７】
2011258380.tif 000009
【図８】
2011258380.tif 000010
【図９】
2011258380.tif 000011
【図１０】
2011258380.tif 000012
【図１１】
2011258380.tif 000013
【図１２】
2011258380.tif 000014